(57)【要約】【課題】  互いに色相が等しく明度の異なる濃淡色材を含む色材を用いて画像形成を行うにあたり、入力信号を該色材数に直接色分解する場合でも、形成された画像の階調が不連続とならないように色分解テーブルを生成する。【解決手段】  画像形成装置における補正方法であって、一次色階調特性チャートを出力する工程（Ｓ１３０２）と、前記一次色階調特性チャートを読み込み（ステップＳ１３０３）、目標値とを比較することで、前記濃色材および淡色材をそれぞれ個別に出力する場合の補正量を算出する工程（Ｓ１３０４）と、該補正量を用いて出力した濃淡混色パッチチャートを読み込み、目標値と比較することで、混色割合の補正量を算出した後、色分解テーブルを、算出された混色割合の補正量を用いて補正する工程（Ｓ１３０６）とを備える。【選択図】  図１３
2008154115.tif 000002
【特許請求の範囲】
【請求項１】
互いに同系色で明度の異なる濃色材と淡色材とを用いて、入力される画像信号について画像形成を行う画像形成装置であって、
前記画像信号より前記濃色材及び淡色材に対応する各色成分信号を抽出するための、色分解テーブルを格納する格納手段と、
前記濃色材および淡色材をそれぞれ個別に用いて、色階調の異なる複数の画像を記録媒体に記録することで、一次色階調特性チャートを出力する第１の出力手段と、
前記第１の出力手段により出力された一次色階調特性チャートを読み込むことで得られた、前記色階調の異なる複数の画像それぞれの濃度値と、予め定められた色階調の異なる複数の画像それぞれの濃度目標値とを比較することで、前記濃色材および淡色材をそれぞれ個別に出力する場合の補正量を算出する第１の算出手段と、
前記濃色材と淡色材との混色割合が異なる複数の画像を、前記第１の算出手段で算出された補正量を用いて前記混色材と淡色材の出力を補正したうえで記録媒体に記録することで、濃淡混色パッチチャートを出力する第２の出力手段と、
前記第２の出力手段により出力された濃淡混色パッチチャートを読み込むことで得られた、前記混色割合の異なる複数の画像それぞれについての濃度値を、前記色分解テーブルを用いて色分解し、前記濃色材と淡色材の混色割合を求めるとともに、予め定められた混色割合の異なる複数の画像それぞれについての濃度値の目標値と比較することで、該混色割合の補正量を算出する第２の算出手段と、
前記格納手段に格納された前記色分解テーブルを、前記第２の算出手段により算出された補正量を用いて補正する補正手段と
を備えることを特徴とする画像形成装置。
【請求項２】
前記第２の出力手段は、
前記第１の算出手段により算出された補正量を用いて前記淡色材の出力を補正することで得られる濃度値が、対応する前記濃度目標値を下回る場合に、前記濃淡混色パッチチャートを出力可能となることを特徴とする請求項１に記載の画像形成装置。
【請求項３】
前記補正手段は、
前記第１の算出手段により算出された補正量を用いて前記淡色材の出力を補正することで得られる濃度値が、前記濃度目標値に一致する場合には、前記色分解テーブルの補正は行われないことを特徴とする請求項１に記載の画像形成装置。
【請求項４】
前記補正手段により補正された色分解テーブルを用いて、前記画像信号について、前記濃色材及び淡色材に対応する各色成分信号を抽出することを特徴とする請求項１に記載の画像形成装置。
【請求項５】
前記濃色材には、濃シアン色材、マゼンタ色材、イエロ色材、ブラック色材が含まれ、前記淡色材には、淡シアン色材、淡マゼンタ色材が含まれることを特徴とする請求項１に記載の画像形成装置。
【請求項６】
互いに同系色で明度の異なる濃色材と淡色材とを用いて、入力される画像信号について画像形成を行う画像形成装置における補正方法であって、
前記画像信号より前記濃色材及び淡色材に対応する各色成分信号を抽出するための、色分解テーブルを格納する格納工程と、
前記濃色材および淡色材をそれぞれ個別に用いて、色階調の異なる複数の画像を記録媒体に記録することで、一次色階調特性チャートを出力する第１の出力工程と、
前記第１の出力工程により出力された一次色階調特性チャートを読み込むことで得られた、前記色階調の異なる複数の画像それぞれの濃度値と、予め定められた色階調の異なる複数の画像それぞれの濃度目標値とを比較することで、前記濃色材および淡色材をそれぞれ個別に出力する場合の補正量を算出する第１の算出工程と、
前記濃色材と淡色材との混色割合が異なる複数の画像を、前記第１の算出工程で算出された補正量を用いて前記混色材と淡色材の出力を補正したうえで記録媒体に記録することで、濃淡混色パッチチャートを出力する第２の出力工程と、
前記第２の出力工程により出力された濃淡混色パッチチャートを読み込むことで得られた、前記混色割合の異なる複数の画像それぞれについての濃度値を、前記色分解テーブルを用いて色分解し、前記濃色材と淡色材の混色割合を求めるとともに、予め定められた混色割合の異なる複数の画像それぞれについての濃度値の目標値と比較することで、該混色割合の補正量を算出する第２の算出工程と、
前記格納工程において格納された前記色分解テーブルを、前記第２の算出工程により算出された補正量を用いて補正する補正工程と
を備えることを特徴とする補正方法。
【請求項７】
請求項６に記載の情報処理方法をコンピュータによって実行させるための制御プログラムを格納した記憶媒体。
【請求項８】
請求項６に記載の情報処理方法をコンピュータによって実行させるための制御プログラム。
【発明の詳細な説明】
【技術分野】
【０００１】
本発明は、互いに色相が等しく明度の異なる濃色材と淡色材とを用いて、入力された画像信号について画像形成を行う画像形成装置における補正処理技術に関するものである。
【背景技術】
【０００２】
近年、シアン（Ｃ）・マゼンタ（Ｍ）・イエロー（Ｙ）・ブラック（Ｋ）といったプロセスカラーである４色の色材に加えて、特色色材を用いて画像形成を行う電子写真方式の画像形成装置が登場してきている。
【０００３】
一般に、特色色材には、シアンやマゼンタと同色相で濃度が低い（明度が高い）ライトシアン（ｃ）やライトマゼンタ（ｍ）などの淡色材や、金色・銀色などのメタリック系の色材、蛍光剤を含む蛍光色材、光沢感を調整するための透明色材などがある。このような特色色材を用いることで、画像形成装置は、色再現範囲を拡大させたり、光沢感・質感を改善させたり、粒状性や階調性を改善させたりすることができる。
【０００４】
ここで、このような多種多様に存在する特色色材のうち、本明細書では、特にプロセスカラーであるＣ、Ｍ、Ｙ、Ｋの４色材に、淡色材であるｃ、ｍを加えた６色材を用いる画像形成装置（以下、「６色システム」と称す）を対象に説明をする。なお、以下では、当該プロセスカラーであるＣ、Ｍ、Ｙ、Ｋの４色材を、淡色材に対抗して、明度の低い（濃度の高い）色材という意味で濃色材と称することとする。更に、プロセスカラーであるＣ、Ｍ、Ｙ、Ｋの４色材を用いた画像形成装置を、「４色システム」と称することとする。
【０００５】
一般に、４色システムでは、入力された画像信号について画像形成を行う際に用いられる各種テーブルに関して、定期的に補正（キャリブレーション）を行っている。これは、濃度の経時変化（濃度変動）によって色味にも変動が生じるからである。
【０００６】
６色システムについても同様で、４色システムにおけるキャリブレーション同様に、濃色材および淡色材のそれぞれに対して、個別に転写電圧を調整し、濃度補正テーブルを作成することでキャリブレーションを行う。具体的には、次の二段階で行われる。
【０００７】
まず、テストパターンを印刷し、装置内のセンサを用いて該印刷されたテストパターンの濃度を測定することで、最大濃度が規定の濃度値になるように転写電圧を調整する。次に、中間調パターンを含むテストパターンを印刷し、スキャナなどの装置でテストパターンの濃度を測定して、中間調パターンの濃度特性を求め、該求めた濃度特性が規定の濃度特性（目標値）になるように濃度補正テーブルを作成する。
【０００８】
ここで、転写電圧の調整による最大濃度の補正は、アナログ補正であるため誤差が生じ易く、規定の濃度値に対して最大濃度が過剰であったり不足してしまったりすることがある。ただし、その場合でも４色システムにあっては、当該最大濃度の過不足が高濃度部における問題であるため、画質への影響は比較的少なくて済む。
【０００９】
これに対して、６色システムの場合には、入力された画像信号の濃度値が低い範囲では淡色材のみを使用し、入力された画像信号が基準の濃度値に達すると濃色材の使用を開始するよう構成されている。このため、淡色材の最大濃度は基本色（同色相の濃色材と淡色材とを用いて形成される色）としての中間濃度領域にあたることとなる。
【００１０】
つまり、淡色材の最大濃度の過不足が、中間濃度領域における濃度変動を引き起こし、その結果、濃色材の使用が開始される濃度領域において基本色の階調が不連続となってしまうこととなる。このため、淡色材の最大濃度の変動を吸収するように、濃度補正テーブルを作成することが求められる。
【００１１】
本願出願人は、このようなニーズに応えるべく、例えば、図１５に示す処理において、一次元の濃度補正テーブルを作成することを提案している。
【００１２】
図１５は、入力された画像信号であるＲＧＢ信号を６色材に色分解して出力する処理を示す図である。同図によれば、まず、入力された画像信号であるＲＧＢ信号が、色分解テーブル１５００を用いて、基本色である一次色の濃色材（Ｃ、Ｍ、Ｙ、Ｋ）に色分解される。そのうえで、濃淡色材の組み合わせを有する濃色材（Ｃ、Ｍ）に対応する色成分信号（１５０１や１５０２）が、一次元の濃度補正テーブル（１５０３や１５０４）を用いて階調補正される。
【００１３】
ここで、一次元の濃度補正テーブルとは、例えば、図１７に示すような濃度特性を有するテーブルであり、淡色材の最大濃度の不足分を、濃色材によって補うように構成された濃度補正テーブルである。具体的には、Ｗｈｉｔｅ→Ｃｙａｎ階調において、図１７のＡ、Ｃのような混色割合で濃シアン色材と淡シアン色材とが使用されている場合において、淡シアン色材がＡ→Ｂに濃度変動したとする。
【００１４】
この場合、一次色の濃度補正テーブルは、濃シアン色材の特性がＣ→Ｄになるように作成される。このような一次元の濃度補正テーブルを作成することで、不連続な階調の発生を回避することができる。
【００１５】
ここで、図１５に示す処理において、上記一次元の濃度補正テーブルを用いる利点は、基本色の色分解が色域全体に悪影響を及ぼすことがない点にある。つまり、基本色を色分解するにあたり、淡色材を使用する他の色域まで考慮する必要がなく、他の色域については、基本色の色分解後の混色割合をそのまま使用できる点にある。
【００１６】
具体例を挙げて説明する。例えば、Ｗｈｉｔｅ→Ｃｙａｎ階調において、基本色の混色割合が図１７のＢ、Ｄのように変動したとする。この場合でも、図１５に示す処理方法の場合、他の色、例えば、Ｗｈｉｔｅ→Ｂｌａｃｋ階調を再現する際に使用するシアンは、図１７のＢ、Ｄに示す混色割合をそのまま使用することができる。
【発明の開示】
【発明が解決しようとする課題】
【００１７】
一方で、処理方法が異なると、上記一次元の濃度補正テーブルの混色割合を、他の色域において、そのまま利用できない場合がある。一例として、図１６に示すように、色分解テーブル１６００を用いて、ＲＧＢ信号から、ダイレクトにＣ、ｃ、Ｍ、ｍ、Ｙ、Ｋの６色材に色分解する処理方法について考える。
【００１８】
かかる処理方法の場合、Ｗｈｉｔｅ→Ｃｙａｎ階調において、仮に図１７のような混色割合で濃シアン色材と淡シアン色材とに色分解されたとしても、Ｗｈｉｔｅ→Ｂｌａｃｋ階調において同様の色分解が行われるとは限らない。
【００１９】
具体的には、濃シアン色材と淡シアン色材とが、Ｗｈｉｔｅ→Ｂｌａｃｋ階調では、図１８のＥ、Ｆのように色分解されており、混色割合は全く異なってくる。このため、Ｗｈｉｔｅ→Ｃｙａｎ階調における混色割合の変化を、Ｗｈｉｔｅ→Ｂｌａｃｋ階調においてそのまま利用しようとすると、色域全体の階調連続性が損なわれてしまう。
【００２０】
例えば、図１７に示すように淡色材の最大濃度が下がり、Ｗｈｉｔｅ→Ｃｙａｎ階調において、淡シアン色材特性がＡからＢに変動したとする。この場合、色分解テーブル１６００が補正され、Ｗｈｉｔｅ→Ｃｙａｎ階調では、濃シアン色材特性がＣからＤに変更されることとなる。
【００２１】
そして、このときの混色割合をそのままＷｈｉｔｅ→Ｂｌａｃｋ階調でも利用しようとすると、濃シアン色材特性は、ＦからＧのように補正されてしまうこととなる。しかし、元々、Ｗｈｉｔｅ→Ｂｌａｃｋ階調では、淡シアン色材は、最大濃度付近を使用していないためＦ→Ｇに補正されてしまうと、かえって中間調での色味変動や階調不連続といった弊害が発生することとなる。
【００２２】
このように、ＲＧＢ（もしくはＣＭＹＫ）からダイレクトに６色に色分解を行う処理方法の場合、基本色の色分解の影響により、基本色以外の色域の色味や階調性が損なわれる可能性がある。このため、基本色以外の色域の色味や階調性を考慮した濃度補正テーブル（色分解テーブル）の作成が求められている。
【００２３】
本発明は、上記課題に鑑みてなされたものであり、互いに同系色で明度の異なる濃淡色材を含む色材を用いて画像形成を行うにあたり、入力信号を該色材数に直接色分解する場合でも、画像の階調が不連続とならないように補正することを目的とする。
【課題を解決するための手段】
【００２４】
上記の目的を達成するために本発明に係る画像形成装置は以下のような構成を備える。即ち、
互いに同系色で明度の異なる濃色材と淡色材とを用いて、入力される画像信号について画像形成を行う画像形成装置であって、
前記画像信号より前記濃色材及び淡色材に対応する各色成分信号を抽出するための、色分解テーブルを格納する格納手段と、
前記濃色材および淡色材をそれぞれ個別に用いて、色階調の異なる複数の画像を記録媒体に記録することで、一次色階調特性チャートを出力する第１の出力手段と、
前記第１の出力手段により出力された一次色階調特性チャートを読み込むことで得られた、前記色階調の異なる複数の画像それぞれの濃度値と、予め定められた色階調の異なる複数の画像それぞれの濃度目標値とを比較することで、前記濃色材および淡色材をそれぞれ個別に出力する場合の補正量を算出する第１の算出手段と、
前記濃色材と淡色材との混色割合が異なる複数の画像を、前記第１の算出手段で算出された補正量を用いて前記混色材と淡色材の出力を補正したうえで記録媒体に記録することで、濃淡混色パッチチャートを出力する第２の出力手段と、
前記第２の出力手段により出力された濃淡混色パッチチャートを読み込むことで得られた、前記混色割合の異なる複数の画像それぞれについての濃度値を、前記色分解テーブルを用いて色分解し、前記濃色材と淡色材の混色割合を求めるとともに、予め定められた混色割合の異なる複数の画像それぞれについての濃度値の目標値と比較することで、該混色割合の補正量を算出する第２の算出手段と、
前記格納手段に格納された前記色分解テーブルを、前記第２の算出手段により算出された補正量を用いて補正する補正手段とを備える。
【発明の効果】
【００２５】
本発明によれば、互いに同系色で明度の異なる濃淡色材を含む色材を用いて画像形成を行うにあたり、入力信号を該色材数に直接色分解する場合でも、画像の階調が不連続とならないように補正することができるようになる。
【発明を実施するための最良の形態】
【００２６】
以下、必要に応じて添付図面を参照しながら本発明の各実施形態を詳細に説明する。
【００２７】
［第１の実施形態］
１．画像形成装置の構成
図１は、本発明の第１の実施形態にかかる画像形成装置（複写機能、プリンタ機能、ＦＡＸ機能を併せ持つ複合機（ＭＦＰ：Ｍｕｌｔｉ  Ｆｕｎｃｔｉｏｎ  Ｐｅｒｉｐｈｅｒａｌ））のハードウェア構成を示す図である。
【００２８】
同図に示すように、ＭＦＰ１００は、上部にデジタルカラー画像リーダ部１０１、下部にデジタルカラー画像プリンタ部１０２を有する。
【００２９】
デジタルカラー画像リーダ部１０１では、原稿１３０を原稿台ガラス１３１上に載せ、露光ランプ１３２により露光走査することにより、原稿１３０からの反射光像を得る。そして、該反射光像をレンズ１３３により、フルカラーＣＣＤセンサ１３４に集光しカラー画像信号を得る。カラー画像信号は（図示しない）増幅回路を経て、（図示しない）ビデオ処理ユニットにて処理を施され、画像メモリ（図示しない）を介してデジタルカラー画像プリンタ部１０２に送出される。
【００３０】
デジタルカラー画像プリンタ部１０２には、デジタルカラー画像リーダ部１０１からのカラー画像信号のほか、ネットワークを介してコンピュータから送信されるカラー画像信号、ＦＡＸから送信されるカラー画像信号なども同様に送出されてくる。
【００３１】
ここでは、その代表としてデジタルカラー画像リーダ部１０１からの信号に基づくデジタルカラー画像プリンタ部１０２の動作を説明する。
【００３２】
なお、入力されたカラー画像信号に対して行われる各種画像処理の詳細は、後述するものとし、ここでは、画像処理後のデータを用いて記録紙に画像形成するためのデジタルカラー画像プリンタ部１０２の動作について説明する。
【００３３】
デジタルカラー画像プリンタ部１０２には、大きく分けて２つの画像形成部、即ち第一の感光ドラム１０１ａを含む第一の画像形成部Ｓａと、第二の感光ドラム１０１ｂを含む第二の画像形成部Ｓｂとが配置されている。該画像形成部Ｓａ、Ｓｂはコストダウンの目的から互いにほぼ同じ構成（形状）となっている。例えば、後述する現像器の構成、形状はほぼ同じとなっている。これにより現像器１４１〜１４６の相互の入れ替え等を行っても対応可能な構成となっている。
【００３４】
像担持体としての２個のドラム状の感光体（感光ドラム）、即ち第一の感光ドラム１０１ａ及び第二の感光ドラム１０１ｂは、各々図中矢印Ａ方向に回転自在に担持されている。それぞれの感光ドラム１０１ａ、１０１ｂの周りには、前露光ランプ１１１ａ、１１１ｂ、コロナ帯電器（帯電手段）１０２ａ、１０２ｂが配されている。
【００３５】
また、レーザ露光光学系である第一の露光手段１０３ａ、第二の露光手段１０３ｂ、電位センサ１１２ａ、１１２ｂ、回転式現像器保持部である移動体（現像ロータリ）１０４ａ、１０４ｂが配されている。更に、各々の保持部に色の異なる現像剤を収容した３個の現像器１４１〜１４３及び１４４〜１４６、一次転写手段である一次転写ローラ１０５ａ、１０５ｂ、クリーニング器１０６ａ、１０６ｂが配されている。
【００３６】
また、現像器の数は高画質化のために５個以上であれば良い。本実施形態では６個の現像器１４１〜１４６を用いる構成とする。現像器には、１４１にはマゼンタ色材、１４２にはシアン色材、１４３には淡マゼンタ色材、１４４にはイエロー色材、１４５にはブラック色材、１４６には淡シアン色材が装填されているとする。
【００３７】
ここで、濃色及び淡色現像剤は、分光特性が等しい顔料の量を変えて作成される。従って、淡マゼンタ色材は、含有する顔料の分光特性はマゼンタと等しいが含有量が少なく、淡シアン色材は、含有する顔料の分光特性はシアンと等しいが含有量が少ない。
【００３８】
また、本現像器には色材とキャリアを混合させて用いる二成分現像剤が装填されているが、色材のみからなる一成分現像剤でも問題はない。
【００３９】
ここで、マゼンタとシアンに対して濃い色と薄い色を用いたのは、人の肌のような淡い画像の再現性を飛躍的に向上させるのが狙いである（粒状性の低減を達成することが狙いである）。
【００４０】
第一、第二の露光手段１０３ａ、１０３ｂにおいてデジタルカラー画像リーダ部１０１からのカラー画像信号は、（図示しない）レーザ出力部にて光信号に変換される。そして、光信号に変換されたレーザ光Ｅはポリゴンミラー１３５で反射され、レンズ１３６及び各反射ミラー１３７を経て感光ドラム１０１ａ、１０１ｂ表面上の露光位置１３８ａ、１３８ｂに投影される。
【００４１】
デジタルカラー画像プリンタ部１０２では、画像形成時に、感光ドラム１０１ａ及び１０１ｂを矢印Ａ方向に回転させる。そして、前露光ランプ１１１ａ、１１１ｂで除電した後の感光ドラム１０１ａ、１０１ｂを帯電器１０２ａ、１０２ｂにより一様に帯電させて、それぞれ分解色毎に光像Ｅを照射し、感光ドラム１０１ａ、１０１ｂ上に潜像を形成する。
【００４２】
次に移動体である回転式現像器保持部即ち第一の現像ロータリ１０４ａ、第二の現像ロータリ１０４ｂを回転させる。そして、所定の現像器１４１、１４４を感光ドラム１０１ａ、１０１ｂ上の各現像器１４１〜１４３の間で、または、現像器１４４〜１４６の間で共通の現像部１４０ａ、１４０ｂに移動させた後に現像器１４１、１４４を作動させる。そして、感光ドラム１０１ａ、１０１ｂ上の静電潜像を反転現像し感光ドラム１０１ａ、１０１ｂ上に樹脂と顔料を基体とした現像剤像（色材像）を形成する。このとき、現像器には現像バイアスが印加される。
【００４３】
また、現像器１４１〜１４６内の色材は図に示すように、所定のタイミングにて随時補給される。これは、レーザ露光光学系である第一、第二の露光手段１０３ａ、１０３ｂの間及び横に配置された各色毎の色材収納部（ホッパー）１６１〜１６６から現像器内の色材比率（或いは色材量）を一定に保つようにするためである。
【００４４】
それぞれの感光ドラム１０１ａ、１０１ｂ上に形成された色材像は、それぞれの一次転写手段である一次転写ローラ１０５ａ、１０５ｂによって、順次一次転写される。これにより、転写媒体としての中間転写体（中間転写ベルト）１０５上に色材像が重ねて形成される。このとき、一次転写ローラ１０５ａ、１０５ｂに一次転写バイアスが印加される。その結果、中間転写ベルト１０５上にそれぞれの色材像が順次重ねられてフルカラー色材像が形成される。
【００４５】
その後、転写媒体である中間転写ベルト１０５上のフルカラー色材像は記録紙に一括して二次転写される。このとき、二次転写ローラ１５４に二次転写バイアスが印加される。
【００４６】
中間転写ベルト１０５は駆動ローラ１５１によって駆動される。中間転写ベルト１０５を挟んだ対向位置には、転写クリーニング装置１５０が駆動ローラ１５１に対して接離可能に構成されている。
【００４７】
中間転写ベルト１０５が２つの駆動ローラ１５１、１５２によって張架されて形成された同一平面部分である転写面ｔには、感光ドラム１０１ａ、１０１ｂが設けられている。また、これらの感光ドラム１０１ａ、１０１ｂとの中間転写ベルト１０５を挟んだ対向部には一次転写手段である一次転写ローラ１０５ａ、１０５ｂが設けられている。
【００４８】
また、この転写面ｔを形成する従動ローラ１５２の対向には、それぞれの感光ドラム１０１ａ、１０１ｂから転写された画像の位置ズレ及び濃度の検知を行うセンサ１５３が配置されている。そして、随時各画像形成部Ｓａ、Ｓｂに画像濃度、色材補給量、画像書き込みタイミング、及び画像書き込み開始位置等に対して補正をする制御を行っている。
【００４９】
また、上流側の駆動ローラ１５１に対向した、転写クリーニング装置１５０は、中間転写ベルト１０５上に必要色だけ画像を重ね終えた後に、対向する駆動ローラ１５１に加圧され、記録紙に転写した後の中間転写ベルト１０５上の残色材をクリーニングする。クリーニング終了後、転写クリーニング装置１５０は前記中間転写ベルト１０５より離間する。
【００５０】
一方、記録紙は各収納部１７１、１７２、１７３又は手差しトレイ１７４から各々の給紙手段１８１、１８２、１８３、１８４によって１枚ずつ搬送され、レジストローラ１８５にて斜行を補正する。その後、所望のタイミングにて中間転写ベルト１０５上の色材像を記録紙に転写する二次転写手段である二次転写ローラ１５４と中間転写ベルト１０５との間の二次転写部に搬送される。
【００５１】
二次転写部にて記録紙上に色材像が転写され、記録紙は搬送部１８６を通り、熱ローラ定着器１０９にて色材像を定着され、排紙トレイ１８９或いは記録紙後処理装置（不図示）に排紙される。
【００５２】
他方、二次転写後の中間転写ベルト１０５は、前述のように転写残色材を転写クリーニング装置１５０にてクリーニングされ、再び各画像形成部Ｓａ、Ｓｂの一次転写工程に供する。
【００５３】
また、記録紙の両面に画像を形成する場合には、熱ローラ定着器１０９を記録紙が通過後、すぐに搬送パス切換ガイド１９１を駆動し、記録紙を搬送縦パス１７５から反転パス１７６に一旦導く。その後、反転ローラ１８７の逆転により、送り込まれた際の後端を先頭にして、送り込まれた方向と反対向きに退出させ、両面搬送パス１７７へと送られる。その後、両面搬送パスを通過し両面搬送ローラ１８８にて斜行補正とタイミング取りを行い、所望のタイミングにてレジストローラ１８５へと搬送され、再び上述した画像形成工程によってもう一方の面に画像を転写する。
【００５４】
２．ＭＦＰ１００の機能構成
図２を用いてＭＦＰ１００の機能構成について説明する。
【００５５】
同図において、入力画像処理部２０１は、原稿をデジタルカラー画像リーダ部１０１で読み取り、読み取られた画像データを画像処理する。
【００５６】
ＮＩＣ（Ｎｅｔｗｏｒｋ  Ｉｎｔｅｒｆａｃｅ  Ｃａｒｄ）部２０２は、ネットワークを利用して送信された画像データ（主に、ＰＤＬデータ）をＲＩＰ部２０２に渡したり、ＭＦＰ１００内部の画像データや装置情報をネットワーク経由で外部に送信する。ＲＩＰ部２０２は、入力されたＰＤＬ（Ｐａｇｅ  Ｄｅｓｃｒｉｐｔｉｏｎ  Ｌａｎｇｕａｇｅ）データを解読し、ＲＩＰ（Ｒａｓｔｅｒ  Ｉｍａｇｅ  Ｐｒｏｃｅｓｓｏｒ）展開する部分である。
【００５７】
入力された画像データは、ＭＦＰ制御部２０４に送られる。ＭＦＰ制御部２０４は、入力される画像データや出力する画像データを制御する交通整理の役割を果たしている。
【００５８】
また、ＭＦＰ制御部２０４に入力された画像データは、一旦メモリ部２０５に格納される。格納された画像データは、一時的に格納されたり、必要に応じて呼び出されたりする。
【００５９】
出力画像処理部２０６は、記録紙に印刷するための画像処理が施され、プリンタ部２０７（デジタルカラー画像プリンタ部１０２に対応）に送られる。
【００６０】
プリンタ部２０７では、記録紙を給紙し、出力画像処理部２０６で作られた画像データを順次印刷していく。印刷された記録紙は後処理部２０８へ送り込まれ、シートの仕分け処理やシートの仕上げ処理が行われる。
【００６１】
操作部２０３は、上記の様々なフローや機能を選択したり操作指示したりするためのものである。
【００６２】
このように、ＭＦＰ１００にはＭＦＰ制御部２０４による制御のもとで、様々な機能と利用方法を実現でき、以下にその一例を示す。
・複写機能：
入力画像処理部２０１→出力画像処理部２０６→プリンタ部２０７
・ネットワークスキャン：
入力画像処理部２０１→ＮＩＣ部２０２
・ネットワークプリント：
ＮＩＣ部２０２→ＲＩＰ部２０２→出力画像処理部２０６→プリンタ部２０７
・ボックススキャン機能：
入力画像処理部２０１→出力画像処理部２０６→メモリ部２０５
・ボックスプリント機能：
メモリ部２０５→プリンタ部２０７
・ボックス受信機能：
ＮＩＣ部２０２→ＲＩＰ部２０２→出力画像処理部２０６→メモリ部２０５
・ボックス送信機能：
メモリ部２０５→ＮＩＣ部２０２
・プレビュー機能：
メモリ部２０５→操作部２０３
このうち、複写機能およびネットワークプリント機能、ボックススキャン機能、ボックス受信機能を実現するための出力画像処理部２０６の機能構成の詳細を、図３を用いて以下に説明する。
【００６３】
３．出力画像処理部２０６の機能構成
図３は出力画像処理部２０６の詳細な機能構成を示すブロック図である。入力画像処理部２０１より出力され、ＭＦＰ制御部２０４を介して出力画像処理部２０６に入力される画像データは、多くの場合、一画素あたり８ビット（２５６階調）のＲＧＢ画像データである。
【００６４】
シェーディング補正部３０１では、入力されたＲＧＢ画像データに、白基準の補正を施す。また、入力色処理部３０２では入力マスキング処理を施すことで、ＣＣＤの分光特性に起因する色の濁りなどが取り除かれる。
【００６５】
さらに、空間フィルタ部３０３ではＲＧＢ画像データの周波数特性を修正する。出力画像処理部２０６では、上記の処理で得たＲＧＢ画像データ、または、ＲＩＰ部２０２にて生成・出力し、出力画像処理部２０６に入力されたＲＧＢ画像データ（各色８ビット）を、ＲＧＢ色分解部３０４または３０７にて色分解する。
【００６６】
具体的には、４色に色分解する場合にあっては、ＲＧＢ色分解部３０４によってＣＭＹＫ信号（各色１０ビット）に色分解する。また、６色に分解する場合にあっては、ＲＧＢ色分解部３０７によってＣｃＭｍＹＫ信号（各色１０ビット）に色分解する。なお、色分解に際しては、後述する補正色分解テーブルを用いる。
【００６７】
なお、ＲＩＰ部２０２はＣＭＹＫ画像データを出力する場合がある。この場合、ＣＭＹＫ画像データは、ＣＭＹＫ色分解部３０８または３０９にて色分解される。
【００６８】
具体的には、４色に分解する場合にあってはＣＭＹＫ色分解部３０８によってＣＭＹＫ信号に色分解し、６色に分解する場合にあってはＣＭＹＫ色分解部３０９によってＣｃＭｍＹＫ信号に色分解される。ＣＭＹＫ色信号が色分解されて、ＣＭＹＫ色信号に加えて、Ｃと同系色の色材用の信号であるｃ信号と、Ｙと同系色の色材用の信号であるｙ信号も得られる。
【００６９】
色分解された信号はガンマ補正部３０５に入力される。ガンマ補正部３０５では、各色独立の一次元ルックアップテーブル（１Ｄ  ＬＵＴ）である一次色階調補正ＬＵＴを用いて、ＣＭＹＫ信号またはＣｃＭｍＹＫ信号に出力特性の補正（ガンマ補正）を施す。続いて、中間調処理部３０６では、プリンタ部２０７が再現可能な階調数および解像度に応じた擬似中間調処理をＣＭＹＫ信号またはＣｃＭｍＹＫ信号に施す。そして、出力画像処理部２０６は、擬似中間調処理されたＣＭＹＫ信号またはＣｃＭｍＹＫ信号をプリンタ部２０７に出力する。なお、プリンタ部２０７の階調数および解像度としては、例えば４ビット、６００ｄｐｉが考えられるが、特にこれに制限されるものではない。また、擬似中間調処理としては公知のスクリーン線処理や誤差拡散処理を用いることとする。
【００７０】
４．出力画像処理部２０６において用いられる各種テーブルのキャリブレーション
次に出力画像処理部２０６での画像処理において用いられる各種テーブル（補正色分解テーブルおよび一次色階調補正ＬＵＴ）についてのキャリブレーション処理について説明する。
【００７１】
４．１  キャリブレーションに関するＭＦＰ制御部２０４の機能
はじめに補正色分解テーブルおよび一次色階調補正ＬＵＴについてのキャリブレーションに関するＭＦＰ制御部２０４の機能構成について説明する。
【００７２】
図４は、ＭＦＰ制御部２０４におけるキャリブレーション処理に関する機能構成を示す図である。同図において、４０１は一次色階調補正ＬＵＴをキャリブレーションするための一次色階調補正部である。
【００７３】
一次色階調補正部４０１では、メモリ部２０５に格納された一次色階調特性チャート（後述）を読み出し、出力画像処理部２０６を介して印刷する。印刷された一次色階調特性チャートはユーザにより濃度値が測定される。
【００７４】
測定された濃度値は、操作部２０３を介して入力され、一次色階調補正部４０１では、これを受け付け、補正用一次色階調特性テーブル（後述）を作成する。そして、メモリ部２０５に格納されたリファレンス一次色階調特性テーブル（後述）と比較する。
【００７５】
一次色階調補正部４０１では、印刷され、ユーザにより測定された一次色階調特性チャートの各濃度値（補正用一次色階調特性テーブル）が、リファレンス一次色階調特性テーブルに等しくなるように、一次色階調補正ＬＵＴを生成する。そして生成した該一次色階調特性ＬＵＴをメモリ部２０５に格納する。
【００７６】
４０２は色分解テーブルをキャリブレーションするための色分解テーブル補正部である。色分解テーブル補正部４０２では、まず、メモリ部２０５に格納された濃淡混色パッチチャート（後述）を読み出し、該生成された一次色階調補正ＬＵＴを用いて濃色材及び淡色材の出力をそれぞれ補正する。そして、出力画像処理部２０６を介して該濃淡混色パッチチャートを印刷する。印刷された濃淡混色パッチチャートについてはデジタルカラー画像リーダ部１０１において読み込まれ、入力画像処理部２０１を介して濃度値として入力する。
【００７７】
色分解テーブル補正部４０２では、該入力された濃度値を、リファレンス色分解テーブル（後述）を用いて色分解し、メモリ部２０５に格納されたリファレンス濃淡混色濃度特性テーブル（後述）と比較する。そして、入力画像処理部２０１を介して入力され、リファレンス色分解テーブルを用いて色分解された濃淡混色パッチチャートの濃色材および淡色材の各濃度値が、リファレンス濃淡混色濃度特性テーブルに等しくなるように、色分解テーブルを補正する。そして補正により得られた補正色分解テーブルをメモリ部２０５に格納する。
【００７８】
なお、一次色階調補正部４０１および色分解テーブル補正部４０２における上記処理は、操作部２０３を介してユーザより指示を受けることにより、実行される。
【００７９】
４．２  キャリブレーションに関する操作部２０３のＵＩ
次に、一次色階調補正部４０１および色分解テーブル補正部４０２を動作させるための操作部２０３のユーザインタフェースについて説明する。
【００８０】
図５は、本実施形態にかかるＭＦＰ１００において、一次色階調補正部４０１および色分解テーブル補正部４０２を動作させるための操作部２０３のユーザインタフェースの一例を示す図である。
【００８１】
図５の（ａ）において、５０１は「自動階調補正」開始指示ボタンであり、当該開始指示ボタン５０１が押下されることにより、一次色階調補正部４０１が動作する。５０２は状態表示欄であり、現在の状態を表示する。
【００８２】
図５の（ａ）の状態表示欄５０２は、「自動階調補正」開始指示ボタン５０１が押下される前の状態である。一方、図５の（ｂ）の状態表示欄５０２は、「自動階調補正」開始指示ボタン５０１が押下されることで、一次色階調補正部４０１が動作し、一次色階調補正ＬＵＴが生成された後の状態であることを示す。更に、図５の（ｃ）の状態表示欄５０２は、「高精度階調補正」の実行に同意することで、色分解テーブル補正部４０２が動作した後の状態であることを示す。
【００８３】
なお、自動階調補正が終了した後にあっては、色分解テーブル補正部４０２を動作させるか否かをユーザに確認するためのメッセージが表示される（図５の（ｂ）の状態表示欄５０２参照）。したがって、当該メッセージに従って、「はい」ボタン５０３が押下されると、色分解テーブル補正部４０２が動作を開始する。一方、「いいえ」ボタン５０４が押下されると、色分解テーブル補正部４０２は動作しない。
【００８４】
なお、上記説明では、「自動階調補正」開始指示ボタン５０１が押下され、一次色階調補正部４０１の動作が完了すると、一旦処理を停止し、ユーザに対して高精度階調補正の実行に同意するか否かを確認する構成としたが、特にこれに限定されるものではない。一次色階調補正部４０１の動作が完了した後に、自動的に色分解テーブル補正部４０２が動作するように構成してもよい。
【００８５】
あるいは、ユーザに対して高精度階調補正の実行に同意するか否かを確認するモードと、確認することなく自動的に色分解テーブル補正部４０２を動作させるモードとが選択できるように構成してもよい。
【００８６】
図６は、ユーザに対して高精度階調補正の実行に同意するか否かを確認するモードと、確認することなく自動的に色分解テーブル補正部４０２を動作させるモードとを選択できるようにしたユーザインタフェースの一例である。図５の（ａ）との違いは、状態表示欄５０２の下に、高精度階調補正を自動的に行うか否かを確認するためのチェック欄５０７が設けられている点である。チェック欄５０７にチェックが入力されている場合には、高精度階調補正の実行に同意するか否かをユーザに確認することなく自動的に色分解テーブル補正部４０２を動作させる。一方、チェック欄５０７にチェックが入力されていない場合には、高精度階調補正の実行に同意するか否かを確認したうえで、色分解テーブル補正部４０２を動作させる。
【００８７】
４．３  キャリブレーションに関するメモリ部２０５の構成
図７は、補正色分解テーブル及び一次色階調補正ＬＵＴのキャリブレーション処理に用いられる各種テーブル、データの、メモリ部２０５内に格納場所を示す図である。
【００８８】
７０１はパッチチャート格納部であり、一次色階調特性チャートや、濃淡混色パッチチャート等の画像を格納する。７０２は、リファレンス一次色階調特性テーブル格納部であり、リファレンス一次色階調テーブル（各色材個別の理想的な濃度値を格納したテーブル）を格納する。
【００８９】
７０３はリファレンス濃淡混色濃度特性テーブル格納部であり、リファレンス濃淡混色濃度特性テーブル（濃淡色材の理想的な混色割合を格納したテーブル）を格納する。７０４はリファレンス色分解テーブル格納部であり、デフォルトの色分解テーブルを格納する。
【００９０】
７０５は補正用一次色階調特性テーブル格納部であり、印刷された一次色階調特性チャートの濃度値を測定することにより得られた補正用一次色階調特性テーブルを格納する。７０６は一次色階調補正ＬＵＴ格納部であり、キャリブレーションにより生成された一次色階調補正ＬＵＴを格納する。
【００９１】
７０７は、補正用濃淡混色濃度特性テーブル格納部である。印刷された濃淡混色パッチチャートを読み込み、入力画像処理部２０１を介して入力された濃度値をリファレンス色分解テーブルを用いて色分解することにより得られた補正用濃淡混色濃度特性テーブルを格納する。７０８は、補正色分解テーブル格納部であり、キャリブレーションにより生成された補正色分解テーブルを格納する。
【００９２】
４．４  キャリブレーションに用いられる各種データの説明
（１）一次色階調特性チャート
図８は、一次色階調特性チャートの一例を示す図である。記録紙上に、Ｃ、Ｍ、Ｙ、Ｋ、ｃ、ｍの印刷領域をもち、各色の印刷領域には、補正を行う中間調の入力濃度レベル５％きざみのパッチパターンが形成される。
【００９３】
（２）濃淡混色パッチチャート
図９は濃淡混色パッチチャートの一例である。濃淡混色パッチチャートとは、淡色材と濃色材の濃度値を１７点抽出し、それら単色とそれぞれの混色の組み合わせを記録紙上に印刷したものである。
【００９４】
（３）補正用濃淡混色濃度特性テーブル
濃淡混色パッチチャートをデジタルカラー画像リーダ部１０１を用いて濃度値を測定し、リファレンス色分解テーブルを用いて色分解した後、濃色材及び淡色材の濃度値を２次元平面上にマッピングすることで補正用濃淡混色濃度特性テーブルを得る（図１０）。濃淡混色濃度特性テーブルは任意の間隔で値を持つ。そのため、用意されていない値に関しては、その周辺の値から線形補間で補間演算を行い算出する。
【００９５】
なお、図１１は補正用濃淡混色濃度特性テーブルの値間を線形補間し、２次元平面上にマッピングして得られた図である。図中の実線は、一例として濃度値０．４ごとに等濃度曲線を引いたものである。
【００９６】
補正用濃淡混色濃度特性テーブルは、淡色材と濃色材で構成されるシアン・マゼンタそれぞれにおいて作成する必要がある。
【００９７】
（４）リファレンス色分解テーブル
図１２は、リファレンス色分解テーブルの一例を示す図である。色分解テーブルは、ＲＧＢ画像データと、Ｃ、Ｍ、Ｙ、Ｋ、ｃ、ｍの６種の色材に対応したデータとを対応付けたテーブルである。このテーブルは入力データに対して一定の間隔で値を持ち、用意されていない値に関してはそれらの周辺の値から補間演算されて求められる。
【００９８】
４．５  キャリブレーションにおける処理の流れ（全体）
ＲＧＢ色分解部３０７にて実行される色分解処理及びガンマ補正部３０５において実行されるガンマ補正処理においてそれぞれ用いられる色分解テーブル及び一次色階調補正ＬＵＴのキャリブレーション処理の流れを説明する。図１３は、本実施形態にかかる画像形成装置において実行される色分解処理及びガンマ補正部３０５において実行されるガンマ補正処理において用いられる色分解テーブル及び一次色階調補正ＬＵＴのキャリブレーション処理の流れを示すフローチャートである。
【００９９】
操作部２０３（図５の（ａ））を介して自動階調補正の命令を受けると、一次色階調補正部４０１が処理を開始する。ステップＳ１３０１では、色分解テーブルを、リファレンス色分解テーブル格納部７０３に格納されているデフォルトのものに一旦戻す。
【０１００】
ステップＳ１３０２では、パッチチャート格納部７０１に格納されている図８で示したような一次色階調特性チャートを出力する。
【０１０１】
ステップＳ１３０３では、出力した一次色階調特性チャートの濃度を測定する。測定した濃度値は、操作部２０３を介して入力され、補正用一次色階調特性テーブルとして補正用一次色階調特性テーブル格納部７０５に格納される。
【０１０２】
ステップＳ１３０４では、ステップＳ１３０３で入力された濃度値を用いて一次色階調補正ＬＵＴを作成する。具体的には、リファレンス一次色階調特性テーブルと補正用一次色階調特性テーブルとを比較することで作成する。作成された一次色階調補正ＬＵＴは一次色階調補正ＬＵＴ格納部１３０６に格納する。
【０１０３】
ステップＳ１３０５では、淡シアンと淡マゼンタの最大濃度値がそれぞれターゲット濃度値を満たしているかを確認する。ターゲット濃度値を満たしていない場合はステップＳ１３０６に進み、満たしている場合は処理を終了する。ターゲット濃度値との比較方法としては、淡シアンと淡マゼンタの最大濃度値の閾値をあらかじめ設定し、その範囲外だった場合に、図５の（ｂ）のような確認画面を表示するなどの方法をとればよい。もしくは、あらかじめ設定した閾値を越えた場合には「高精細階調補正を行います」などと表示し、自動でステップＳ１３０６に進んでもよい。
【０１０４】
ステップＳ１３０６では、補正色分解テーブルを作成する。その詳細については別途図１４を用いて後述する。
【０１０５】
ステップＳ１３０７において、作成された補正色分解テーブルを補正色分解テーブル格納部７０８にセットし、処理を終了する。
【０１０６】
以後は、上記補正色分解テーブルと上記一次色階調補正ＬＵＴを使用して色分解処理及びガンマ補正処理が行われる。
【０１０７】
４．６  キャリブレーションにおける処理の流れ（補正色分解テーブルの作成）
図１４は、ステップＳ１３０６における補正色分解テーブルの作成処理の詳細を説明するフローチャートである。
【０１０８】
色分解テーブル補正部４０２が実行開始されると、ステップＳ１４０１では、パッチチャート格納部７０１に格納されている図９のような濃淡混色パッチチャートを印刷する。
【０１０９】
ステップＳ１４０２では、印刷した濃淡混色パッチチャートの濃度を測定する。この際、デジタルカラー画像リーダ部１０１で読み込み、輝度濃度変換して濃度値を求めるなどの方法をとる。測定した濃度値は、リファレンス色分解テーブルを用いて色分解され、補正用濃淡混色特性テーブルとして補正用濃淡混色濃度特性テーブル格納部７０７に格納される。
【０１１０】
ステップＳ１４０３では、リファレンス色分解テーブルの任意のグリッドを指し示すためのグリッドカウンタを０に合わせる。以降、ステップＳ１４０７までの処理はシアン・マゼンタ両色について行うが、ここでは簡易的にシアンについてのみ説明する。
【０１１１】
ステップＳ１４０４では、該当グリッドにおいて、濃シアン色材と淡シアン色材とにより生成されるべきシアンの濃度値を算出する。具体的には、まず、リファレンス色分解テーブルの該当グリッドにおける濃シアン色材の濃度値と淡シアン色材の濃度値とを読み出す。そして、読み出されたそれぞれの濃度値を組み合わせることにより生成されるシアンの濃度値を、リファレンス濃淡混色濃度特性テーブルより読み出す。
【０１１２】
ステップＳ１４０５では、ステップＳ１４０３にて算出された、生成されるべきシアンの濃度値を得るために、実際に必要な淡シアン色材の濃度値と、濃シアン色材の濃度値とを算出する。具体的には、まず、ステップＳ１４０３にて算出された、生成されるべきシアンの濃度値に対応する濃度値を補正用濃淡混色濃度特性テーブルから読み出す。そして、当該濃度値に対応する濃シアン色材の濃度値と淡シアン色材の濃度値とを読み出す（当該読み出された濃シアン色材の濃度値と淡シアン色材の濃度値が、当該シアンの濃度値を得るための補正色分解テーブルの混合割合となる）。
【０１１３】
ステップＳ１４０６では、グリッドカウンタを次に進ませ、ステップＳ１４０７に進む。
【０１１４】
ステップＳ１４０７では、グリッドカウンタが総グリッド数に一致したか否かを判定し、一致した場合には、ステップＳ１４０８に進む。一方、グリッドカウンタが総グリッド数に満たない場合は、ステップＳ１４０４に戻り、上記の処理を繰り返す。
【０１１５】
ステップＳ１４０８では、すべてのグリッドの混色割合を記述した補正色分解テーブルを生成し、処理を終了する。
【０１１６】
なお、本実施形態では淡色材の単色最大濃度値がターゲット濃度値を満たさない場合について述べたが、ターゲット濃度値を越してしまっている場合にも利用可能である。また、各色の一次色階調特性は理想的だが、多重転写効率などの変化により濃淡混色濃度値がターゲット作成時と変わってしまった場合にも利用可能である。
【０１１７】
また、本実施形態では一次色階調補正後に濃淡混色パッチチャートを出力しているが、一次色階調特性チャートと同時に濃淡混色パッチチャートを出力するようにしてもよい。
【０１１８】
以上の説明から明らかなように、本実施形態にかかる画像形成装置では、まず、一次色階調特性チャートを印刷し、印刷された該一次色階調特性チャートの濃度値を測定する。そして、測定結果をリファレンス一次色階調特性テーブルと比較することで、一次色階調補正ＬＵＴを生成する。これにより、各色材個別のキャリブレーションが完了する。
【０１１９】
更に、該生成された一次色階調補正ＬＵＴを用いて、濃色材および淡色材の濃度値を補正したうえで、濃淡混色パッチチャートを印刷する。印刷された該濃淡混色パッチチャートは、デジタルカラー画像リーダ部を介して読み込まれた後、リファレンス色分解テーブルにて色分解され、濃淡混色濃度特性テーブルが生成される。そして、濃淡混色濃度特性テーブルと、リファレンス混色濃度特性テーブルとを比較することで、色分解テーブルの各色における混色割合を算出する。これにより色分解テーブルにおける全ての濃色材と淡色材の混色割合を理想的な割合にキャリブレーションすることができる。この結果、色域全体の階調連続性が維持されることとなる。
【０１２０】
［第２の実施形態］
上記第１の実施形態では、ＵＩを操作部２０３に表示する構成としたが、本発明は特にこれに限定されない。例えば、ＵＩを操作部２０３上ではなく、インタフェースで接続された外部入出力端末を利用することや、インターネット等ネットワークを介して操作することも可能である。この際、プリンタ排出口にカラーセンサのような、自動で濃度測定のできる測定器をセットしてリモートで補正を行うことも可能である。
【０１２１】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１２２】
また、本発明の目的は、前述した実施形態の機能を実現するソフトウェアのプログラムコードを記録した記憶媒体を、システムあるいは装置に供給するよう構成することによっても達成されることはいうまでもない。この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【０１２３】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１２４】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１２５】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０１２６】
【図１】本発明の第１の実施形態にかかる画像形成装置（複写機能、プリンタ機能、ＦＡＸ機能を併せ持つＭＦＰ）の概略断面図である。
【図２】ＭＦＰ１００の機能構成を示す図である。
【図３】出力画像処理部２０６の機能構成例を示すブロック図である。
【図４】ＭＦＰ制御部２０４のキャリブレーションに関する機能構成を示す図である。
【図５】一次色階調補正部４０１および色分解テーブル補正部４０２を動作させるための操作部２０３のユーザインタフェースの一例を示す図である。
【図６】ユーザに対して高精度階調補正の実行に同意するか否かを確認するモードと、確認することなく自動的に色分解テーブル補正部４０２を動作させるモードとを選択できるようにしたユーザインタフェースの一例を示す図である。
【図７】補正色分解テーブル及び一次色階調補正ＬＵＴのキャリブレーション処理に用いられる各種テーブル、データの、メモリ部２０５内に格納場所を示す図である。
【図８】一次色階調特性チャートの一例を示す図である。
【図９】濃淡混色パッチチャートの一例を示す図である。
【図１０】濃淡混色パッチチャートの一例である。
【図１１】補正用濃淡混色濃度特性テーブルの値間を線形補間し、２次元平面上にマッピングして得られた図である。
【図１２】リファレンス色分解テーブルの一例を示す図である。
【図１３】色分解処理及びガンマ補正部３０５において実行されるガンマ補正処理において用いられる色分解テーブル及び一次色階調補正ＬＵＴのキャリブレーション処理の流れを示すフローチャートである。
【図１４】補正色分解テーブルの作成処理の詳細を説明するフローチャートである。
【図１５】入力された画像信号であるＲＧＢ信号を６色材に色分解して出力する処理を示す図である。
【図１６】色分解テーブル１６００を用いて、ＲＧＢ信号から、ダイレクトにＣ、ｃ、Ｍ、ｍ、Ｙ、Ｋの６色材に色分解する処理方法を示す図である。
【図１７】濃シアン色材と淡シアン色材との混色割合を示す図である。
【図１８】濃シアン色材と淡シアン色材との混色割合を示す図である。
【図１】
2008154115.tif 000003
【図２】
2008154115.tif 000004
【図３】
2008154115.tif 000005
【図４】
2008154115.tif 000006
【図５】
2008154115.tif 000007
【図６】
2008154115.tif 000008
【図７】
2008154115.tif 000009
【図８】
2008154115.tif 000010
【図１０】
2008154115.tif 000011
【図１１】
2008154115.tif 000012
【図１２】
2008154115.tif 000013
【図１３】
2008154115.tif 000014
【図１４】
2008154115.tif 000015
【図１５】
2008154115.tif 000016
【図１６】
2008154115.tif 000017
【図１７】
2008154115.tif 000018
【図１８】
2008154115.tif 000019
【図９】
2008154115.tif 000020